(57)【要約】      （修正有）【課題】ガス使用量の削減及び調理時間の短縮と鍋からの噴きこぼれ液が鍋側面に沿ってガス火に掛からないことを目的とした鍋との着脱容易な省エネルギー型調理鍋用袴を提供する。【解決手段】ガス使用量削減及び調理時間の短縮を目的とした省エネルギー型調理鍋用袴を調理鍋に装着することにより達成され、更に、噴きこぼれ液によるガス火が突然消える心配も解消する。【選択図】図１
0003112647.tif 000002
【実用新案登録請求の範囲】
【請求項１】
調理鍋本体に着脱容易にした一体に成形された円筒型袴を設け、ガス火による熱エネルギーが円筒部の下端部から上端部に通過することを特徴とする省エネルギー型調理鍋用袴。
【請求項２】
一体に成形された円筒部の構造物の周辺部に数カ所舌状部分を設けることにより調理鍋を筒状のどちら側からも挿入出来、また着脱を容易にすることを特徴とする請求項１の省エネルギー型調理鍋用袴。
【請求項３】
形状に関しては一体に成形された円筒型袴に限定することなく、波板帯状成形物および平板帯状成形物を円筒状にクリップ止めし、重なり部分の長さ調整することによりサイズの異なる複数の調理用鍋に対応させたことを特徴とする省エネルギー型調理鍋用袴。
【請求項４】
該平板帯状調理鍋用袴の帯状に沿って数カ所舌状部分を設けることにより調理鍋をクリップ止め円筒状のどちら側からも挿入出来、また着脱を容易にするためにレバー操作で舌状部を鍋方向に可動調整させることを特徴とする請求項３の省エネルギー型調理鍋用袴。
【請求項５】
調理鍋本体に短冊座付きはちまき状リングを設け、円筒状調理鍋用袴を円周方向に少回転させ該袴の舌状部分を短冊座部に着脱させることを特徴とする省エネルギー型調理鍋用袴。
【請求項６】
請求項１の省エネルギー型調理鍋用袴の外側に調理者が高熱の袴に接触しないよう、又、保温性を高めるために更に外袴を取りつけ二重構造にしたことを特徴とする省エネルギー型調理鍋用袴。
【考案の詳細な説明】
【技術分野】
【０００１】
本考案は、ガス火を用いて調理用鍋で調理する際のガス使用量の削減及び調理時間の短縮に関する調理鍋用袴の考案である。
【背景技術】
【０００２】
従来の調理鍋用袴の技術は、調理鍋とは一体ではなくコンロ上に置くタイ
プであるので、調理鍋サイズが変わればその都度、調理鍋用袴をコンロから外す必要がある。
【０００３】
この改善策として、調理鍋用袴の周上に数カ所舌状部分を設け調理鍋と調理鍋用袴との空間を均一にし、更に、調理鍋に着脱が容易に出来るような調理鍋用袴を考案した。
【０００４】
更に、改善策として調理鍋用袴を二重構造にすることにより、火傷に対する安全性と保温性を高めた調理鍋用袴を考案した。
【考案の開示】
【考案が解決しようとする課題】
【０００５】
従来の方法と比較して、調理鍋と調理鍋用袴との着脱を容易にすることにより、調理時は調理鍋用袴を調理鍋に一体化させることである。従って本考案の課題は、従来の技術の欠点を克服した、より一層のガス使用量の削減及び調理時間の短縮を可能にする調理鍋用袴を提供することである。
【課題を解決するための手段】
【０００６】
上記目的を解決するため、本考案は料理鍋用袴の円周上に数カ所舌状部分を設け、調理鍋との着脱を容易にさせた。
【０００７】
更に、波板帯状成形物および平板帯状成形物を円筒状にクリップ止めし、重なり部分の長さ調整することによりサイズの異なる複数の調理用鍋に対応させた調理鍋用袴により調理鍋との着脱を容易にさせた。
【考案の効果】
【０００８】
本考案は以上に説明したように構成されているので、以下に記載される効
果が期待できる。
【０００９】
本考案による調理鍋用袴を装着した料理鍋は、熱エネルギーが鍋側面に沿って上昇するため調理鍋内部の煮物が早く出来上がり、ガス使用量が削減でき、また、調理時間が短縮できた。
【００１０】
本考案による該調理用袴と調理鍋の側面とで構成される空間は保温性が良いので、煮物が冷めにくい効果が期待できる。
【００１１】
更に、本考案は調理鍋からの噴きこぼれ液が直接鍋側面に沿わないで調理鍋用袴に沿うからガス火を消すことがなく、安全である。
【００１２】
更に、クリップ止め波板帯状袴および平板帯状袴の考案により円周上の長さ調整が可能になったので、１セットの該袴でサイズの異なる複数の鍋に取り付け対応することが可能である故、経済的である。
【００１３】
更に、調理鍋用袴を二重構造にすることにより、火傷に対する安全性と保温性を高めた。
【考案を実施するための最良の形態】
【００１４】
以下に添付図面を参照して、更に説明するが、本考案はこれに限定される
ものではない。
【実施例１】
【００１５】
図１は調理鍋２と調理鍋用袴３とコンロ４の位置関係を示し、調理鍋用袴３はその円筒部の一部の舌状部分３ａにより、調理鍋２に一体化されている。
【実施例２】
【００１６】
図２は調理鍋用袴３の拡大図である。
【実施例３】
【００１７】
図３は調理鍋用袴３の断面図である。
【実施例４】
【００１８】
図４は波板帯状調理鍋用袴５と調理用鍋２とコンロ４の位置関係を示している。波板帯状調理鍋用袴５の端部はクリップ６で円状に固定されている。
【実施例５】
【００１９】
図５は波板帯状調理鍋用袴５と調理用鍋２を上方から見た位置関係を示す。
【実施例６】
【００２０】
図６は波板帯状調理鍋用袴５を平面的に広げた状態を示す。
【実施例７】
【００２１】
図７は平板帯状調理鍋用袴７と調理用鍋２とコンロ４の位置関係を示す。    
【実施例８】
【００２２】
図８は平板帯状調理鍋用袴７と調理用鍋２を上方から見た位置関係を示している。平板帯状調理鍋用袴７の端部はクリップ６で円状に固定されている。
【実施例９】
【００２３】
図９は図８の断面Ａ−Ａ即ち、舌状部分の断面図である。
【実施例１０】
【００２４】
図１０は図８の断面Ｂ−Ｂを示し、レバー１１の操作で舌状部分７ａを調理鍋方向に可動調整できることを示す。
【実施例１１】
【００２５】
図１１は短冊座付きはちまき状リング９を有する調理鍋２と円筒状調理鍋
用袴８とコンロ４の位置関係を示す。
【実施例１２】
【００２６】
図１２は短冊座付きはちまき状リング９に対応する円筒状調理鍋用袴８の詳細図である。
【実施例１３】
【００２７】
図１３は短冊座付きはちまき状リング９の詳細図である。
【実施例１４】
【００２８】
図１４は短冊座付きはちまき状リング９の立体図である。
【実施例１５】
【００２９】
図１５は調理鍋２と調理鍋用袴３と調理鍋用外袴１０とコンロ４の位置関係を示し、調理鍋用袴３は調理鍋用外袴１０に設けられた凹部で一体化されている。
【実施例１６】
【００３０】
図１６は調理鍋用外袴１０の詳細図である。
【実施例１７】
【００３１】
図１７は調理鍋用外袴１０の断面図である。
【図面の簡単な説明】
【００３２】
【図１】調理用鍋と着脱容易な調理鍋用袴とコンロの位置関係図
【図２】円筒型調理鍋用袴の詳細図
【図３】円筒型調理鍋用袴の断面図
【図４】波板帯状調理鍋用袴と調理用鍋とコンロの位置関係図
【図５】波板帯状調理鍋用袴の断面図
【図６】波板帯状調理鍋用袴の平面図
【図７】平板帯状調理鍋用袴と調理用鍋とコンロの位置関係図
【図８】平板帯状調理鍋用袴の断面図
【図９】平板帯状調理鍋用袴のＡ−Ａ断面図
【図１０】平板帯状調理鍋用袴のＢ−Ｂ断面図
【図１１】短冊座付きはちまき状リングと調理鍋と円筒状調理鍋用袴とコンロの位置関係図
【図１２】円筒状調理鍋用袴の詳細図（短冊座付きはちまき状リング用）
【図１３】短冊座付きはちまき状リングの断面図
【図１４】短冊座付きはちまき状リングの立体図
【図１５】調理鍋と調理鍋用袴と調理鍋用外袴とコンロの位置関係図
【図１６】調理鍋用外袴の断面図
【図１７】調理鍋用外袴の平面図
【符号の説明】
【００３３】
１  調理鍋の蓋
２  調理鍋
３  調理鍋用袴
３ａ  調理鍋用袴の舌状部分
４  コンロ
５  調理鍋用波板帯状袴
６  クリップ
７  調理鍋用平板帯状袴
８  調理鍋用環状袴(短冊座付きリング用)
９  短冊座付きはちまき状リング
１０  調理鍋用外袴
１１  レバー
【図１】
0003112647.tif 000003
【図２】
0003112647.tif 000004
【図３】
0003112647.tif 000005
【図４】
0003112647.tif 000006
【図５】
0003112647.tif 000007
【図６】
0003112647.tif 000008
【図７】
0003112647.tif 000009
【図８】
0003112647.tif 000010
【図９】
0003112647.tif 000011
【図１０】
0003112647.tif 000012
【図１１】
0003112647.tif 000013
【図１２】
0003112647.tif 000014
【図１３】
0003112647.tif 000015
【図１４】
0003112647.tif 000016
【図１５】
0003112647.tif 000017
【図１６】
0003112647.tif 000018
【図１７】
0003112647.tif 000019
【手続補正書】
【提出日】平成17年5月30日(2005.5.30)
【手続補正１】
【補正対象書類名】実用新案登録請求の範囲
【補正対象項目名】全文
【補正方法】変更
【補正の内容】
【実用新案登録請求の範囲】
【請求項１】
調理鍋本体に着脱容易にした一体に成形された円筒型袴を設け、ガス火による熱エネルギーが円筒部の下端部から上端部に通過することを特徴とする省エネルギー型調理鍋用袴。
【請求項２】
一体に成形された円筒部の構造物の周辺部に数カ所舌状部分を設けることにより調理鍋を筒状のどちら側からも挿入出来、また着脱を容易にすることを特徴とする請求項１の省エネルギー型調理鍋用袴。
【請求項３】
請求項１の省エネルギー型調理鍋用袴の外側に調理者が高熱の袴に接触しないよう、又、保温性を高めるために更に外袴を取りつけ二重構造にしたことを特徴とする省エネルギー型調理鍋用袴。